(57)【要約】【課題】携帯電話装置の充電器において、携帯電話装置が内蔵する充電池を充電している間でも、たとえばハンズフリー通話のための音声信号の入力ないし出力をすることができ、また使い勝手の良い充電器を提供する。【解決手段】電池式携帯電話充電器において、前記携帯電話装置が内蔵する充電池を充電するための第１のコネクタと、該第１のコネクタとは独立に設けられた前記音声信号を入力ないし出力するための第２のコネクタを設ける。音声信号の出力と充電を同時に行う際に発生するノイズの影響を低減するため、ノイズ除去用のスイッチ回路を設ける。これに伴い増加する電源のリップルを低減するため、定電圧ダイオードを電源系に付加する。【選択図】図１
2011062069.tif 000002
【特許請求の範囲】
【請求項１】
電池を電源として携帯電話装置が内蔵する充電池を充電し、また音声信号を入力ないし出力するための音声入出力端子付き電池式携帯電話充電器であって、
前記電池からの電源を用いて前記携帯電話装置が内蔵する充電池を充電するための充電回路と、
該充電回路の出力電力を供給され、該出力電力を接続された前記携帯電話装置に供給する第１のコネクタと、
該第１のコネクタに前記携帯電話装置が接続されている場合においても、前記携帯電話装置より供給される音声信号の出力、ないし、前記携帯電話装置へ供給する音声信号の入力を行う、前記第１のコネクタとは別に具備された第２のコネクタ
を有することを特徴とする音声入出力端子付き電池式携帯電話充電器。
【請求項２】
請求項１に記載の音声入出力端子付き電池式携帯電話充電器において、前記携帯電話装置より供給される音声信号に含まれるノイズの低減を行うノイズ低減回路を有することを特徴とする音声入出力端子付き電池式携帯電話充電器。
【請求項３】
請求項２に記載の音声入出力端子付き電池式携帯電話充電器において、前記充電回路の出力に含まれるリップルを低減するためのリップル除去回路を有することを特徴とする音声入出力端子付き電池式携帯電話充電器。
【請求項４】
二次電池を電源として携帯電話装置が内蔵する充電池を充電し、また音声信号を入力ないし出力するための音声入出力端子付き二次電池式携帯電話充電器であって、
前記二次電池からの電源を用いて前記携帯電話装置が内蔵する充電池を充電するための充電回路と、
前記二次電池を充電するための充電制御回路と、
前記携帯電話装置に対し該携帯電話装置が内蔵する充電池を充電するための出力電力を供給する第１のコネクタと、
前記携帯電話装置より供給される音声信号の出力、ないし、前記携帯電話装置へ供給する音声信号の入力を行う入出力端子を有し、外部の充電器からの充電電力を供給される入力端子を有する前記第１のコネクタとは別に具備された第２のコネクタと、
該第２のコネクタを介して前記外部の充電器から供給された前記充電電力と前記充電回路からの充電電力を前記携帯電話装置が内蔵する充電池を充電するための充電電力として前記第１のコネクタに供給し、前記携帯電話装置の充電が充分である場合には前記第２のコネクタを介して前記外部の充電器から供給された前記充電電力を前記二次電池に供給して該二次電池を充電する充電制御回路と、
前記携帯電話装置から前記第１のコネクタを介して供給された前記携帯電話装置の音声出力信号を出力するための出力端子
を有することを特徴とする音声入出力端子付き二次電池式携帯電話充電器。
【請求項５】
請求項４に記載の音声入出力端子付き二次電池式携帯電話充電器において、前記携帯電話装置より供給される音声信号に含まれるノイズの低減を行うノイズ低減回路を有することを特徴とする音声入出力端子付き二次電池式携帯電話充電器。
【請求項６】
請求項４に記載の音声入出力端子付き二次電池式携帯電話充電器において、前記充電回路の出力に含まれるリップルを低減するためのリップル除去回路を有することを特徴とする音声入出力端子付き二次電池式携帯電話充電器。
【請求項７】
請求項４に記載の音声入出力端子付き二次電池式携帯電話充電器において、外部の充電器より供給されるノイズの低減を行う第２のノイズ低減回路を有することを特徴とする音声入出力端子付き二次電池式携帯電話充電器。
【請求項８】
請求項４に記載の音声入出力端子付き二次電池式携帯電話充電器において、通信機能を有する外部の装置と情報を授受するためのブルートゥース着信ユニットを有することを特徴とする音声入出力端子付き二次電池式携帯電話充電器。
【発明の詳細な説明】
【技術分野】
【０００１】
本発明は電池式携帯電話充電器に係り、特に音声品質の良好な音声入出力端子付き電池式携帯電話充電器に関するものである。
【背景技術】
【０００２】
広く普及している携帯電話では、これを手で直接持たなくとも通話できるようにするため、外付けのイヤフォンやスピーカに音声を送出し、ないし外付けのマイクロフォンからの音声を取込むための入出力端子を有するものが多い。ハンズフリーで使用することにより、他の作業を行いながら通話をすることができる。携帯電話の小型化の要求が強まるとともに、この音声端子は単独で設けられることは少なくなり、たとえば多ピンの充電用のコネクタ（ジャックとも言う）に取込まれるようになった。
【０００３】
周知のとおり携帯電話の充電は、携帯電話をフォルダ（スタンドとも言う）に嵌めこみ、フォルダに直流電源を供給することで行われる。たとえば特許文献１においては該文献の図３に示すように、携帯電話の外装付近に設けられた充電端子１９を介して、ＡＣアダプタからの直流電源が供給されるようにしている。この場合、ＡＣアダプタとフォルダの間は多ピンのコネクタで接続される。
また外出時など、フォルダがなくとも充電できるようにするため、前記ＡＣアダプタ側の多ピンのコネクタを直接接続できるよう、携帯電話が多ピンのコネクタを有することも広く知られている。前記した音声端子は、このコネクタに取込まれることが多い。たとえば非特許文献１においては、この充電と音声の兼用のコネクタに接続して使用するイヤフォンマイクと、そのコネクタが開示されている。
【先行技術文献】
【特許文献】
【０００４】
【特許文献１】特開２００８−１８２５７６号公報
【非特許文献】
【０００５】
【非特許文献１】多摩電子工業株式会社のＨＰ、[２００９年７月２４日検索]、＜http://www.tamadenco.co.jp/goods-main/t-680.html＞
【発明の概要】
【発明が解決しようとする課題】
【０００６】
従来は、前記した多ピンのコネクタを使用して電池の充電を行っている場合には、これに取込まれた音声端子を使用することができないために、たとえばハンズフリーの通話をすることができなかった。また音声端子を使用する際には電池の充電ができず、ハンズフリーの通話中に電池切れを起こす問題もあった。
【０００７】
当然ながら、充電に用いるコネクタに音声信号の入出力端子を持たせれば良いのであるが、音声ジャック付きの充電用コネクタでは、音声端子を使わない場合の使い勝手が悪化するという問題がある。
本発明の目的は前記した問題に鑑み、使い勝手が良く、音声品質の良好な音声入出力端子付き電池式携帯電話充電器を提供することにある。
【課題を解決するための手段】
【０００８】
前記目的を達成するため本発明は、電池を電源として携帯電話装置が内蔵する充電池を充電し、また音声信号を入力ないし出力するための音声入出力端子付き電池式携帯電話充電器であって、前記電池からの電源を用いて前記携帯電話装置が内蔵する充電池を充電するための充電回路と、該充電回路の出力電力を供給され、該出力電力を接続された前記携帯電話装置に供給する第１のコネクタと、該第１のコネクタに前記携帯電話装置が接続されている場合においても、前記携帯電話装置より供給される音声信号の出力、ないし、前記携帯電話装置へ供給する音声信号の入力を行う、前記第１のコネクタとは別に具備された第２のコネクタを有することを特徴としている。
【０００９】
また本発明は、前記音声入出力端子付き電池式携帯電話充電器において、前記携帯電話装置より供給される音声信号に含まれるノイズの低減を行うノイズ低減回路を有することを特徴としている。
【００１０】
また本発明は、前記音声入出力端子付き電池式携帯電話充電器において、前記充電回路の出力に含まれるリップルを低減するためのリップル除去回路を有することを特徴としている。
【００１１】
また本発明は、二次電池を電源として携帯電話装置が内蔵する充電池を充電し、また音声信号を入力ないし出力するための音声入出力端子付き電池式携帯電話充電器であって、前記二次電池からの電源を用いて前記携帯電話装置が内蔵する充電池を充電するための充電回路と、前記二次電池を充電するための充電制御回路と、前記携帯電話装置に対し該携帯電話装置が内蔵する充電池を充電するための出力電力を供給する第１のコネクタと、前記携帯電話装置より供給される音声信号の出力、ないし、前記携帯電話装置へ供給する音声信号の入力を行う入出力端子を有し、外部の充電器からの充電電力を供給される入力端子を有する前記第１のコネクタとは別に具備された第２のコネクタと、該第２のコネクタを介して前記外部の充電器から供給された前記充電電力と前記充電回路からの充電電力を前記携帯電話装置が内蔵する充電池を充電するための充電電力として前記第１のコネクタに供給し、前記携帯電話装置の充電が充分である場合には前記第２のコネクタを介して前記外部の充電器から供給された前記充電電力を前記二次電池に供給して該二次電池を充電する充電制御回路と、前記携帯電話装置から前記第１のコネクタを介して供給された前記携帯電話装置の音声出力信号を出力するための出力端子を有することを特徴としている。
【００１２】
さらに本発明は、前記した音声入出力端子付き電池式携帯電話充電器において、通信機能を有する外部の装置と情報を授受するためのブルートゥース着信ユニットを有することを特徴としている。
【発明の効果】
【００１３】
本発明によれば、音声品質の良好な音声入出力端子付き電池式携帯電話充電器を提供でき、ユーザに対する使い勝手の向上に寄与できるという効果がある。
【図面の簡単な説明】
【００１４】
【図１】本発明の一実施例における電池式携帯電話充電器の回路図である。
【図２】本発明の一実施例における電池式携帯電話充電器の第１の外観図である。
【図３】本発明の一実施例における電池式携帯電話充電器の第２の外観図である。
【図４】本発明の別な実施例における電池式携帯電話充電器の回路図である。
【図５】本発明の一実施例における二次電池を使用した電池式携帯電話充電器の回路ブロック図である。
【図６】本発明の一実施例における二次電池を使用した電池式携帯電話充電器の別な回路ブロック図である。
【図７】本発明の一実施例における二次電池を使用した電池式携帯電話充電器のさらに別な回路ブロック図である。
【図８】本発明の一実施例におけるブルートゥース着信に対応した電池式携帯電話充電器の回路ブロック図である。
【発明を実施するための形態】
【００１５】
以下、本発明の実施形態について図面を用いながら説明する。
図１は、本発明の一実施例における電池式携帯電話充電器の回路図である。１は取外し可能な乾電池などの直流電源である。２は携帯電話（図示せず）に内蔵する電池を充電する充電回路である。３は音声のノイズ除去を行うスイッチ回路である。４は外付けするイヤフォン（図示せず）を接続するジャックである。５および６は多ピン（ここでは一例として１０ピン）のコネクタであり、充電する携帯電話はメイル型（オス型とも言う）のコネクタ５に接続される。なお、コネクタ６はフィメイル型（メス型とも言う）であって、非特許文献１で一例を示したようなイヤフォンマイクが接続される。すなわち、ジャックを有するイヤフォン、多ピンコネクタを有するイヤフォンマイクのいずれもが使用できる。コネクタ５および６における丸印は本発明とは直接の関係はないが、同軸ケーブルの接続端子であり、外部のコネクタと勘合する際に上下方向を分かり易くする働きもある。
【００１６】
図２は、本発明の一実施例における電池式携帯電話充電器の第１の外観図である。図３は、本発明の一実施例における電池式携帯電話充電器の第２の外観図である。図３は図２の反対側の斜め上側から描いている。５１は可動式の蓋、７は外装ケースであるが、他の構成要素は図１に対応する場合、同じ番号を付している。外装ケース７には、図１の電池１、充電回路２、スイッチ回路３が内蔵されるとともに、音声端子であるジャック４、コネクタ５および６が、外部の要素と接続できる位置に設けられている。
【００１７】
すなわち本発明においては第１の特徴として、ジャック４やコネクタ６がコネクタ５とは独立して設けられているため、充電中であっても音声端子が使用でき、音声端子を使用中であっても充電ができる。しかも、ジャック４やコネクタ６が電池式携帯電話充電器に設けられているため、前記したような使い勝手の悪化を伴うことがない。
【００１８】
図１に基づき、充電回路２の動作を説明する。
乾電池をはじめとする直流電源１が電池端子２１（＋側）と２２（−側）の間に接続される。２３は昇圧用のチョッパ型回路であって、コイルＬ１を用いてスイッチング動作で直流電圧を昇圧する。たとえば直流電源１の出力が３Ｖ（乾電池２個直列）である場合、５Ｖ（無負荷時）程度に昇圧された電圧が逆流防止用のダイオードＤ１のカソード側に得られる。ヒューズＦ１を経てコネクタ５の５ピンに供給された直流電力は、携帯電話が内蔵する電池を充電する。この充電を行っている際に、ユーザはジャック４やコネクタ６の音声端子を用いて、たとえばハンズフリーの通話を行うことができる。また、トランジスタＱ２のベースに正電圧が与えられてＬＥＤが点灯し、充電中であることを表示する。容量Ｃ２とＣ３は平滑用のコンデンサである。
【００１９】
ところで、以上のように充電中に音声信号を用いる場合には、新たな問題点が発生することがある。携帯電話では、アナログ信号を処理する回路のグラウンド（以下、アナロググラウンド）とディジタル信号を処理する回路のグラウンド（以下、ディジタルグラウンド）は、回路基板上で別々に設けられているが、内部の特定の場所で双方は短絡されている。なお、直接短絡するのではなく、たとえばディジタルグラウンドに重畳されたノイズをアナロググラウンドに回さないためのフィルタを介して短絡することもある。携帯電話の図１のコネクタ５において、１ピンがディジタルグラウンド、１０ピンがアナロググラウンドである。電池を充電する際には、携帯電話をコネクタ５に挿入することで、充電器側のアナロググラウンドとディジタルグラウンドが共通となり、充電が開始される。このため、携帯電話からジャック４やコネクタ６に出力される音声信号には、ディジタルグラウンドからのノイズが重畳する。すなわち、充電と通話を同時に行わない場合には問題とならなかった事項が、新たな問題となって現れることとなる。
【００２０】
この問題を解決するため本実施例においては、ノイズ除去用のスイッチ回路３を設けている。直流電源１の電圧が所定の値以上であれば、トランジスタＱ１を介してＮ型ＭＯＳＦＥＴペアから成るスイッチ回路３のゲートに所定の電位が与えられ、スイッチがＯＮ状態となる。図中にグラウンドマークで示したアナロググラウンドと、携帯電話のディジタルグラウンドであるコネクタ５の１ピンの間は短絡される。このため、ディジタルグラウンドからのノイズは大幅に低減でき、ジャック４やコネクタ６に出力する音声信号から、前記した事項に起因するノイズを低減している。
【００２１】
さらに前記したノイズ除去用のスイッチ回路３を設けることにより、新たな問題を発生することがある。電源に対してスイッチ回路３が新たな負荷として加わるため、コネクタ５の５ピンに接続される電源にリップルが発生し、最悪の場合は携帯電話側で電源の不良と判断してシャットダウン（電源ＯＦＦ）することがある。そこで本発明においては、充電回路２に定電圧ダイオードＺＤＩを設け、たとえばツェナー電圧を利用して大振幅のリップルを低減するようにしている。なお、この定電圧ダイオードの働きはリップルの低減であって、高電圧の電源から低電圧の電源を作る際の定電圧化の動作とは異なるものである。前記したように、コネクタ５の５ピンの直流電圧が無負荷時に５Ｖ程度であるならば、前記ツェナー電圧は５．６Ｖ程度であって良い。なお、図１の容量Ｃ３には、定電圧ダイオードＺＤＩが発生する固有のノイズを除去する働きもある。
【００２２】
すなわち本発明においては第２の特徴として、ノイズ除去用のスイッチ回路３を使用して充電中のノイズ発生を問題なくすることで音声信号の品質を良好にし、また第３の特徴として定電圧ダイオードＺＤＩを使用してリップルの発生を問題なくすることで、充電中の音声信号を良好に使用することを可能にしている。
【００２３】
最後に、図１のコネクタ５と６のピンのうち、これまで用途を述べていないものを説明する。２ピンと３ピンは音声出力（２チャンネル）である。４ピンはステレオモードであるか（Ｌｏｗ）否か（Ｈｉｇｈ）を示す論理信号であり、ここではステレオモードで使用するものとしてコネクタ５の１０ピン（アナロググラウンド）へ接続した例を示している。６ピンはジャック４ないしコネクタ６に対するイヤフォンやイヤフォンマイクの接続の有無を示す論理信号、８ピンは通話開始や発信を示す論理信号である。９ピンはマイクからの音声信号であり、たとえばコネクタ６に接続されたイヤフォンマイクから入力されるものである。また、コネクタ６には主にイヤフォンマイクを接続するため、ディジタルグラウンドの必要はなく、その１ピンと１０ピンはともにアナロググラウンドとした例を示している。
【００２４】
ここまで述べてきた実施形態は一例を示すものであって、本発明を限定するものではない。たとえば図１の回路図は一例であって多くの変形例が考えられる。コネクタ５と６のピン数、構造および形状などは任意に定めて良い。また、図２や図３の外観形状は一例であり、コネクタ５と６やジャック４のレイアウトには多くの変更が可能である。充電用の電源として乾電池をはじめとする電池を用いる場合を示したが、ＡＣアダプタや高電圧のＤＣ電源を用いる時にも適用することができる。いずれの場合も本発明の範疇にある。
【００２５】
以下、本発明のさらに異なる実施例を説明する。図１において直流電源１として乾電池をあげた。もちろん、乾電池の寿命がなくなれば他の乾電池と交換することが前提である。乾電池の代わりに、リチウムイオン電池をはじめとする繰返し充電して使用できる二次電池を使用しても良い。充電が必要となった時は取外して他の充電器で充電すると良い。
また、例えば乾電池を内蔵し電池交換を前提としない使い切り型としても良い。この場合は図４に示すように、直流電源１が充電回路２と固定的に接続され、図１の電池端子２１と２２は不要となる。
【００２６】
さらに、次に示す実施例では、リチウムイオン電池やリチウムポリマー電池をはじめとする二次電池を内蔵し、これを繰返し充電して使用するための充電制御回路を内蔵した音声入出力端子付き二次電池式携帯電話充電器について述べる。
この場合、内蔵する二次電池を充電するための電源を外部から供給するためのコネクタが必要となる。本実施例では、このコネクタを新たに設けるのではなく、フィメイル型のコネクタ６のピンを活用することで部品数の増加を防いでいる。すなわちコネクタ６は音声入出力端子としてだけでなく、外部充電用のコネクタとしても共用される。
【００２７】
コネクタ６は、充電用の外部電源が接続された場合には、後記するように内蔵する二次電池、ないしコネクタ５に接続された携帯電話を充電するための電源の入力端子として機能し、またイヤフォンマイクが接続された場合には、コネクタ５に接続された携帯電話への音声入出力端子として機能する。なお、コネクタ６に充電用の外部電源が接続された場合においても、ジャック４からの音声出力を利用できるので、ジャック４に接続されたイヤフォンではノイズを低減された品質の良好な音声を得ることができる。
【００２８】
次に内蔵する二次電池を充電する機能を有する実施例につき、図面を用いて説明する。図５は、本発明の一実施例における二次電池を使用した電池式携帯電話充電器の回路ブロック図である。図５においては図１と異なり、図面の簡略化のためＬＥＤの点灯回路や平滑用のコンデンサを省略している。二次電池１１は内蔵されるものであり、取外しを前提としなくとも良い。昇圧回路２３０は図１の昇圧回路２３のほか、コイルＬ１、ダイオードＤ１などの周辺部品を含んでいる。ノイズ除去回路３０は図１のスイッチ回路３のほか、トランジスタＱ１などの周辺部品を含んでいる。リップル制限回路８は図１のツェナーダイオードＺＤ１を含んでいる。さらに逆流防止用のダイオードＤ２と充電制御回路１３が新たに付加されている。図１ではコネクタ６の５ピンは空きピンであったが、図５では５ピンに外部の充電器（図示せず）からの直流電源が供給される。この直流電源はダイオードＤ２のアノードと充電制御回路１３に供給される。
【００２９】
まずコネクタ５には携帯電話が接続され、コネクタ６には前記外部の充電器が接続された状態について説明する。この場合は、電池式携帯電話充電器が内蔵する二次電池１１よりも、携帯電話の内蔵電池を充電することを優先するものとする。コネクタ６の５ピンから供給された直流電力は、ダイオードＤ２を介してコネクタ５の５ピンより接続された携帯電話に供給され、該携帯電話が内蔵する二次電池を充電する。充電制御回路１３は、ダイオードＤ２を流れる携帯電話への充電電流をモニタする電流検出機能を有しており、携帯電話への充電電流が所定値よりも大きい場合には、携帯電話が内蔵する電池を充電中と判断する。この際は、充電制御回路１３はコネクタ６の５ピンから供給された直流電力を電池式携帯電話充電器が内蔵する二次電池１１に供給しないように機能する。すなわち、携帯電話が内蔵する電池が充電中であるならば、これを優先するようにする。
【００３０】
携帯電話の充電は携帯電話側で充電終了を検出して終了する。前記携帯電話への充電電流が所定値よりも小さくなった場合には、充電制御回路１３は携帯電話の充電が完了したと判断して、コネクタ６の５ピンから供給された直流電力は電池式携帯電話充電器が内蔵する二次電池１１に供給され、二次電池１１を充電する。充電制御回路１３は、例えば定電流出力の充電回路と、充電電流が所定値より小さい場合に充電を停止するための制御回路を有すると良い。これにより、二次電池１１が充分に充電されれば、充電動作は終了する。
【００３１】
なお、前記外部の充電器がコネクタ６に接続されている時は、ユーザはジャック４にイヤフォンを接続することで携帯電話からの音声をステレオでモニタすることができる。この音声は、前記したようにノイズ除去回路３０やリップル制限回路８の作用により、品質の良好な状態でモニタできる。
【００３２】
図５の例では、充電制御回路１３が二次電池１１を充電している間でも、コネクタ５に充電の不充分な携帯電話が接続された場合には、すぐに携帯電話の充電を開始することができる。この場合、二次電池１１の充電は停止される。
【００３３】
また図５の場合のさらなる効果として、電力の利用効率が良好なことがあげられる。携帯電話を充電する際に、二次電池１１からの電力を使用すると昇圧回路２３０で発生するロスだけ電力が無駄になる。これに対して図５では、コネクタ６に前記外部の充電器が接続されている場合には、該充電器からの供給電力が昇圧回路２３０を介することなく、直接携帯電話を充電するために、前記したロスが発生しないというメリットがある。
なお、前記外部の充電器がコネクタ６に接続されていない場合は、コネクタ５に接続された携帯電話の充電は、二次電池１１から供給される電力で行うことは言うまでもない。
【００３４】
さらに図５においては、図１や図４とは異なり、コネクタ６の４ピンは開放されており、コネクタ５の４ピンには接続されていない。前記したようにコネクタ５の４ピンには、音声がステレオモード（Ｌｏｗ）であるか否か（Ｈｉｇｈ）を示す論理信号が接続される。ここではステレオモードであることを前提として、１０ピンのアナロググラウンドに直接接続してＬｏｗとしている。一方、コネクタ６に接続される充電器には、例えばデータ通信対応のものでは、４ピンをデータ通信用の電源とするものがある。このような充電器をコネクタ６に接続すると前記電源が１０ピンのアナロググラウンドへ短絡されるため、ここではコネクタ６の４ピンは空きピンとしてコネクタ５の４ピンには接続していない。
もちろん、先の図１や図４においても、前記した充電器が接続される恐れがある場合には、同様にコネクタ６の４ピンを開放すると良い。
【００３５】
図６は、本発明の一実施例における二次電池を使用した電池式携帯電話充電器の別な回路ブロック図である。ここでは図５とは異なり、イヤフォンマイクを接続するコネクタ６とは別に、外部の充電器を接続するコネクタ６Ａを設けた例を示す。コネクタ６の４ピンは図１や図４と同様にコネクタ５の４ピンに接続されているが、コネクタ６Ａの４ピンは図５と同様に空きピンとしている。図６は、図５と比較してコネクタ６Ａを追加で設ける必要があり、スペース的或いはコスト的には望ましくないが、図５と同様に前記した４ピンの問題を解消することができる。またコネクタ６Ａに接続された充電器でコネクタ５に接続された携帯電話を充電しながら、コネクタ６に接続されたイヤフォンマイクを使用して会話をすることができる。
【００３６】
ところで、図５の実施例においては、再び音声信号にノイズが重畳される問題が発生することがある。これについて説明する。前記した外部の充電器をコネクタ６に接続すると、充電器自体の電源ノイズがコネクタ６の１０ピン、すなわちアナロググラウンドに重畳することがある。このノイズは、ジャック４のグラウンドに重畳するため、ジャック４に接続されたヘッドフォンにおいてノイズとして聞こえるという不具合を起こす。図６の場合は、コネクタ６Ａの１０ピンをコネクタ５の１ピン、すなわちディジタルグラウンドに接続することにより、ジャック４に接続されたヘッドフォンにノイズが現れることを防ぐことができる。しかし図５の場合には、さらに回路的な改善が必要になる。この件について、図７を用いて説明する。
【００３７】
図７は、本発明の一実施例における二次電池を使用した電池式携帯電話充電器のさらに別な回路ブロック図である。図５と比較して第２のノイズ除去回路９が追加されている点が異なる。第２のノイズ除去回路９は、一例として図中の破線で囲って示すような二つの接点を有する小型なリレースイッチを有しても良く、また所定の効果が得られるならばトランジスタスイッチを有しても良い。
【００３８】
通常、二つのリレースイッチは、図示したように黒抜き点で示した側に接続され、電池式携帯電話充電器は図５と同じ状態となっている。コネクタ６の５ピンに、外部の充電器から充電用の直流電力が供給された場合には、逆流防止用のダイオードＤ３を介してリレースイッチのコイルが励磁され、前記二つのリレースイッチは、図示とは逆に白抜き点で示された側に接続される。したがい、コネクタ５の１０ピンのアナロググラウンド、すなわちジャック４のグラウンドを、コネクタ６の１ピンと１０ピンに接続される外部の充電器のグラウンドから開放することができ、ジャック４に接続されたヘッドフォンの音声にノイズが重畳されることはなくなるという効果がある。
【００３９】
次に、本発明のさらなる実施例を説明する。
図８は、本発明の一実施例におけるブルートゥース着信に対応した電池式携帯電話充電器の回路ブロック図である。図７と比較して、ブルートゥース着信ユニット１００が追加されていることが特徴となっている。
【００４０】
ブルートゥースとは近年定められたディジタル機器用の近距離通信規格を指す。例えば、電車の棚の上に置かれたカバン内の携帯電話に着信があった場合に、所有者が身につけたブルートゥース着信ユニットに対して、ブルートゥース規格に基づき着信通知が送られ、ブルートゥース着信ユニットは所有者に対して、音声、振動などにより着信を知らせる。また、所有者はブルートゥース着信ユニットから前記携帯電話に対して、通信を切断する指示をブルートゥース規格に基づいて送るなど、様々な応用が考えられている。
【００４１】
図８において、ブルートゥース着信ユニット１００は、例えばスライド式のパワースイッチ１００Ｃにより起動される。アンテナ１００Ａが、例えば携帯電話に着信があった旨の通知を、ブルートゥース規格に基づく通信で受信する。するとブルートゥース着信ユニット１００は、例えばフォトダイオード１００Ｂを点灯ないし点滅させて、携帯電話の所有者に携帯電話への着信を通知する。所有者が、例えばワンショット式のリセットスイッチ１００Ｄを押すと、前記着信の通知は終了される。
【００４２】
現在、ブルートゥース着信ユニットの課題点は、消費電力が大きいことであり、ユーザは内蔵する充電池を頻繁に充電せねばならない。或いは内蔵する充電池を大容量にせねばならない。また図７のコネクタ５において、携帯電話のみならずブルートゥース着信ユニットも充電するのでは、双方を個別に充電するために長い時間を要し、またユーザは充電する機器の付替えを頻繁にする必要がある。もちろん、ブルートゥース着信ユニット自体の消費電流の低減は必要であるが、無線通信では所定の送信電力が必要であるために限度があり、使い勝手の面から改善策を得ることが重要である。
【００４３】
図８の実施例においては、ブルートゥース着信ユニット１００を本実施例の電池式携帯電話充電器に内蔵し、二次電池１１から供給される直流電力でブルートゥース着信ユニット１００を動作させることを特徴としている。ブルートゥース着信ユニット１００は、二次電池１１からの直流電力を動作電源としても良く、また充電池を内蔵して二次電池１１からの直流電力で充電したうえで該充電池を動作電源としても良い。これにより、ユーザは携帯電話に対する充電のみを意識すれば良くなり、使い勝手を大幅に向上することができる。本実施例は、電池の充電を頻繁に繰返す必要のあるブルートゥース着信ユニットを、充電器に内蔵して使い勝手を向上する点に一つの特徴がある。
図５から図８に示した実施例では本発明の範疇において、さらに変更を加えた実施例を考えることができる。例えば図５では、リップル制限回路８はダイオードＤ２のコネクタ５に近い側に設けても良い。携帯電話と電池式携帯電話充電器の間の接続は、コネクタに限らずケーブルであっても良いし、コネクタの場合もその形状は問わない。いずれの場合も本発明の範疇にある。
【符号の説明】
【００４４】
１：直流電源、２：充電回路、３：スイッチ回路、４：ジャック、５：コネクタ、６：コネクタ、７：外装ケース、８：リップル制限回路、９：第２のノイズ除去回路、１１：二次電池、１３：充電制御回路、３０：ノイズ除去回路、１００：ブルートゥース着信ユニット。
【図１】
2011062069.tif 000003
【図２】
2011062069.tif 000004
【図３】
2011062069.tif 000005
【図４】
2011062069.tif 000006
【図５】
2011062069.tif 000007
【図６】
2011062069.tif 000008
【図７】
2011062069.tif 000009
【図８】
2011062069.tif 000010